(57)【要約】【課題】消費電力を抑制でき、安全性の向上および被記録物の搬送不良の低減した液体噴射装置を提供すること。【解決手段】液体収集動作制御部２６４によって電圧源２７０の電圧印加を制御することにより、必要に応じて液体の収集機能を有効にでき、消費電力を抑制できると共に、高電圧を印加する期間も制御できるので、記録部１１０の安全性の向上にも寄与できる。また、必要に応じてインクの収集機能が有効にできるので、インクによる汚染や記録媒体の搬送不良を最小限に抑えた記録部１１０を得ることができる。【選択図】図７
2008087472.tif 000002
【特許請求の範囲】
【請求項１】
開口を有する導電性のノズルプレートを有し、前記開口から被記録物に向かって液体を噴射する液体噴射ヘッドと、
前記液体噴射ヘッドからの液体噴射方向について前記被記録物よりも遠方に、前記ノズルプレートに対向して配置され、前記液体噴射ヘッドから噴射されながら前記被記録物に付着しなかった液体を吸収する吸収部材と、
前記吸収部材に隣接して配置された電極と、
前記電極に電圧を印加して前記ノズルプレートおよび前記電極の間に電位差を発生させて電界を形成して、前記液体噴射ヘッドから噴射された液体を前記電極に向かって電気的に引き付けさせる電位差発生手段と、
前記電位差発生手段の電圧印加の期間を制御する液体収集制御部とを備えた液体噴射装置。
【請求項２】
前記液体収集制御部は、前記被記録物に関する情報により、少なくとも第１の制御モードまたは第２の制御モードのいずれか１つを含む制御モードから制御モードを選択し、選択された前記制御モードに従って、前記電圧印加を開始または停止する請求項１に記載の液体噴射装置。
【請求項３】
前記液体収集制御部は、前記被記録物が給紙ローラに接触した後、前記開口から前記液体が前記被記録物に噴射される位置に達する前に前記電圧印加を開始する請求項１または請求項２に記載の液体噴射装置。
【請求項４】
前記液体収集制御部は、前記被記録物が排紙ローラに接触した後、前記電圧印加を開始する請求項１または請求項２に記載の液体噴射装置。
【請求項５】
前記液体収集制御部は、前記被記録物が前記開口から前記液体が前記被記録物に噴射される位置から外れた後に前記電圧印加を停止する請求項１から請求項４のいずれか一項に記載の液体噴射装置。
【請求項６】
前記液体収集制御部は、前記液体噴射装置の筐体が開かれた場合に、前記電圧印加を停止させる請求項１から請求項５までのいずれか一項に記載の液体噴射装置。
【請求項７】
前記液体収集制御部は、前記液体噴射装置の筐体内に前記被記録物ではないものが侵入したことが検知された場合に、前記電圧印加を停止させる請求項１から請求項６までのいずれか一項に記載の液体噴射装置。
【発明の詳細な説明】
【技術分野】
【０００１】
本発明は液体噴射装置に関する。より詳細には、液体噴射ヘッドに装着されたノズルプレートの開口から噴射した液体を被記録物に付着させる液体噴射装置に関する。
【背景技術】
【０００２】
液体噴射装置において、被記録物の周縁部に余白を残すことなく液体を付着させる場合、被記録物および液体噴射ヘッドの間の不可避な位置ずれを見込んで、被記録物の寸法よりも僅かに広い領域に対して液体を噴射させる。このため、被記録物の両側縁部および前後縁部の近傍では、被記録物の存在しない領域に対しても液体が噴射される。そこで、被記録物よりも遠方において液体噴射ヘッドに対向する位置に吸収部材を配置して、噴射されながら被記録物に付着しなかった液体を吸収させる。これにより、被記録物に付着しなかった液体による周囲の汚染が防止される。
【０００３】
ところで、被記録物に液体が付着すると、その部分が伸びて被記録物に皺を生じる場合がある。この皺が吸収部材に接触すると、吸収部材にすでに吸収されていた液体が被記録物を汚染する。そこで、多くの液体噴射装置では、被記録物の皺の高さを見込んで、被記録物および吸収部材の間に２〜４ｍｍ程度の間隙が設けられる。また、同様に接触による汚染を防止する目的で、ノズルプレートおよび被記録物の間にも１ｍｍ程度の間隔がとられている。したがって、ノズルプレートから吸収部材までの間には３〜５ｍｍ程度の間隔がある。
【０００４】
一方、被記録物上で液体により形成される画像の解像度を向上させる目的で、ノズルプレートの開口から噴射される液滴は一層微細化される傾向にあり、単一の液滴に着目すると、その大きさは数ｐｌ程度までになっている。このような微細な液滴は自身の質量が非常に小さいので、ノズルプレートからいったん噴射されると、雰囲気の粘性抵抗等により運動エネルギーを急速に失う。例えば、８ｐｌ未満の液滴は、大気中で３ｍｍ程度の行程を飛翔すると速度が略ゼロになることが判っている。このように運動エネルギーを失った微細な液滴は、重力加速度による落下運動と雰囲気の粘性抵抗力とが殆どつり合い、落下し切るまでに長い時間を要する。落下するまでの間の液滴は空中に浮遊することになり、これはエアロゾルと呼ばれる。
【０００５】
このようにして発生したエアロゾルは、一部は液体噴射装置の外部にまで浮遊して、周辺に付着する。また、エアロゾルの多くは液体噴射装置内の各部に付着する。プラテン等の被記録物の搬送経路にエアロゾルが付着した場合、再付着により次に搬送される被記録物が汚染される。また、液体噴射装置に搭載された電気回路、リニアスケール、ロータリエンコーダ、光学センサ等にエアロゾルが付着した場合は、装置自体の誤動作を招く場合もある。さらに、エアロゾルが付着したものにユーザが触れると、ユーザの手が汚される。
【０００６】
特許文献１には、電界によりエアロゾルを能動的に収集する機能を備えた液体噴射装置が開示されている。ここに開示された液体噴射装置では、被記録物に付着しなかった液滴を付着、吸収させる目的で、ノズルプレートに対向する位置に吸収部材が配置される。また、吸収部材に隣接して一方の電極となる金属部材が配置され、液体を噴射する開口を有する金属製ノズルプレートが他方の電極とされる。
【０００７】
これら電極およびノズルプレートに互いに異なる電圧が印加されると、両者の間に電界が形成される。一方、ノズルプレートから噴射される液滴は、ノズルプレートから噴射された瞬間に、いわゆる避雷針効果によりノズルプレートと同極に帯電する。したがって、エアロゾルとなり得るような微小な液滴も、電界から受けるクーロン力の作用により、減速されることなく電極に向かって飛翔し続け、自身の電荷と逆極性の電位にある電極に吸着される。さらに、電極に吸着された液滴は、電極に隣接して配置された吸収部材に毛細管現象により吸収される。
【０００８】
【特許文献１】特開２００４−２０２８６７号公報
【発明の開示】
【発明が解決しようとする課題】
【０００９】
上記のように、エアロゾルが帯電していることを利用して、電界により浮遊するエアロゾルの発生を抑制できることが判っている。しかしながら、このような機能を有する液体噴射装置では、常に電圧を印加しているので、そのための技術的課題が新たに生じている。
【００１０】
そのひとつとして、液体噴射装置が起動している全期間にわたって電界を発生させた場合、消費電力が徒に増加する。また、電界を画成する電極等の部材には高い電圧が印加されるので、これに触れた場合には感電する場合があり得る。さらに、高圧な電圧源は稼働時間に制限があるので、不要な電界形成は装置寿命の短縮に結びつく。
また、エアロゾル収集に利用する電界の中で記録動作をすることになるので、電界による作用が被記録物にも及び、被記録物の搬送不良を生じる場合があることが挙げられる。特に、被記録物が薄く柔軟である場合、表面処理、塗工層の形成等により被記録物の比誘電率が高い場合あるいは被記録物自体が樹脂フィルム等のように柔軟で帯電しやすい材料で形成される場合は、電界により被記録物自体が帯電して、液体噴射装置の構造物に引き寄せられる。このため、被記録物が搬送経路からずれて、いわゆる紙詰まり等の搬送不良を生じる場合がある。
さらに、他の課題として、被記録物に付着せずに浮遊していたエアロゾルは、電界により運動エネルギーを保持し続けているので、被記録物の意図しなかった領域に付着する場合がある。このような汚染は、本来は全く液体が付着しない被記録物の裏面において非常に目立つ。また、被記録物の裏面にも記録が行われる場合には、裏面の汚染も単なる美観の劣化では済まされない。このように、エアロゾルによる汚染を防止する目的で電界を形成した場合に予期せぬ別の汚染が生じる場合もある。
【課題を解決するための手段】
【００１１】
本発明は、上述の課題の少なくとも一部を解決するためになされたものであり、以下の形態または適用例として実現することが可能である。
【００１２】
［適用例１］
開口を有する導電性のノズルプレートを有し、前記開口から被記録物に向かって液体を噴射する液体噴射ヘッドと、前記液体噴射ヘッドからの液体噴射方向について前記被記録物よりも遠方に、前記ノズルプレートに対向して配置され、前記液体噴射ヘッドから噴射されながら前記被記録物に付着しなかった液体を吸収する吸収部材と、前記吸収部材に隣接して配置された電極と、前記電極に電圧を印加して前記ノズルプレートおよび前記電極の間に電位差を発生させて電界を形成して、前記液体噴射ヘッドから噴射された液体を前記電極に向かって電気的に引き付けさせる電位差発生手段と、前記電位差発生手段の電圧印加の期間を制御する液体収集制御部とを備えた液体噴射装置。
【００１３】
この適用例によれば、液体収集制御部によって電位差発生手段の電圧印加を制御することにより、必要に応じて液体の収集機能が有効になり、消費電力を抑制できると共に、高電圧を印加する期間も制御されるので、液体噴射装置の安全性の向上にも寄与する。また、必要に応じて液体の収集機能が有効になるので、液体による汚染や被記録物の搬送不良を最小限に抑えられる。
【００１４】
［適用例２］
上記液体噴射装置であって、前記液体収集制御部は、前記被記録物に関する情報により、少なくとも第１の制御モードまたは第２の制御モードのいずれか１つを含む制御モードから制御モードを選択し、選択された前記制御モードに従って、前記電圧印加を開始または停止する液体噴射装置。
この適用例では、被記録物に関する情報により、電圧印加の開始および停止に係る制御モードが選択されるので、被記録物に応じてより適切に前述の効果が達成される。
【００１５】
［適用例３］
上記液体噴射装置であって、前記液体収集制御部は、前記被記録物が給紙ローラに接触した後、前記開口から前記液体が前記被記録物に噴射される位置に達する前に前記電圧印加を開始する液体噴射装置。
この適用例では、液体が噴射されるまでに電圧印加を行うので、確実に液体の収集機能が有効になり、液体による汚染を抑えられる。
【００１６】
［適用例４］
上記液体噴射装置であって、前記液体収集制御部は、前記被記録物が排紙ローラに接触した後、前記電圧印加を開始する液体噴射装置。
この適用例では、排紙ローラによって被記録物が挟まれ、その位置が安定した後に電圧が印加されるので、被記録物が帯電しやすい特性を有する場合であっても、電界により被記録物が吸収部材に引き付けられて汚染され、あるいは、搬送経路からはずれて搬送不良を生じることが低減される。
【００１７】
［適用例５］
上記液体噴射装置であって、前記液体収集制御部は、前記被記録物が前記開口から前記液体が前記被記録物に噴射される位置から外れた後に前記電圧印加を停止する液体噴射装置。
液体が噴射されない期間は電圧印加を停止するので、消費電力を抑制できると共に、高電圧を印加する期間が限定的なので、液体噴射装置の安全性の向上にも寄与する。また、液体が噴射される前に有効な電界が形成されるので、効果的に液体を収集できる。
【００１８】
［適用例６］
上記液体噴射装置であって、前記液体収集制御部は、前記液体噴射装置の筐体が開かれた場合に、前記電圧印加を停止させる液体噴射装置。
この適用例では、電圧が印加されたまま電極等が露出することが防止され、液体噴射装置の安全性が向上される。
【００１９】
［適用例７］
上記液体噴射装置であって、前記液体収集制御部は、前記液体噴射装置の筐体内に前記被記録物ではないものが侵入したことが検知された場合に、前記電圧印加を停止させる液体噴射装置。
この適用例では、侵入物による短絡あるいは侵入物を取り除こうとした場合に発生し得る感電を防止でき、液体噴射装置の安全性が向上される。
【００２０】
なお、上記の発明の概要は、本発明の必要な特徴の全てを列挙したものではない。したがって、これらの特徴群のサブコンビネーションもまた発明となり得る。
【発明を実施するための最良の形態】
【００２１】
以下、本発明の実施形態を説明するが、以下の実施形態は特許請求の範囲に係る発明を限定するものではない。また、実施形態の中で説明されている特徴の組み合わせの全てが発明の解決手段に必須であるとは限らない。
【００２２】
図１は、本発明の実施形態のひとつであるインクジェット式の液体噴射ヘッドを備えた液体噴射装置としての記録部１１０を含む記録読取複合機１００の外観を示す斜視図である。記録読取複合機１００は、液体噴射ヘッドから液体であるインクを噴射し、被記録物としての記録媒体１５０に画像を記録する。
【００２３】
図１において、記録読取複合機１００は、記録部１１０と、その上に重ねられた上ケース１２２とを備えている。また、上ケース１２２は筐体になっており、その中に読取部１２０を備えている。
【００２４】
記録部１１０は、下ケース１１２と給送部２１０とを備えている。下ケース１１２は筐体になっており、その下部にケース底部１１１を備えている。
給送部２１０は、ペーパサポート２１２を備え、下ケース１１２の後側に設けられている。また、下ケース１１２の前面には、前カバー１１４が設けられている。
【００２５】
一方、上ケース１２２の上面には、読み取るべき原稿を載せる図示しない読取テーブルが配置され、読取テーブル上の原稿を押さえる原稿押さえを兼ねた上カバー１２４が設けられている。
また、上カバー１２４の前側に、操作パネル１３０を備えている。操作パネル１３０には、表示パネル１３２の他、複数の操作ボタン１３４、パイロットランプ１３６等が設けられ、記録読取複合機１００をスタンドアローンで動作させる場合に、各種の指示を入力し、動作状態等を表示することができる。
【００２６】
記録読取複合機１００においては、上カバー１２４を開いて読み取りテーブルの上に載せた原稿上の画像が、その下面から読み取られる。また、ペーパサポート２１２に装入された記録媒体１５０は、記録部１１０の内部を前方に向かって搬送され、その途中で画像が記録される。
【００２７】
図２は、図１に示した記録読取複合機１００の記録部１１０の内部機構２００を抜き出して示す斜視図である。また、図３は、同じ内部機構２００を、上から見下ろした様子を示す平面図である。
図２および図３において、内部機構２００は、ケース底部１１１と、その上に略直立するフレーム２０２と、フレーム２０２の後側に配置された給送部２１０と、フレーム２０２の前側に順次配置された搬送部２２０、プラテン２３０および排出部２４０とを備えている。
【００２８】
給送部２１０は、縦に装入された記録媒体１５０の背面を支持するペーパサポート２１２と、記録媒体１５０の右側の側端部を位置決めするサイドサポート２１４と、記録媒体１５０の左側の側端部に当接して記録媒体１５０の傾きを防止するスライドサポート２１６とを備えている。スライドサポート２１６は、ペーパサポート２１２の表面で水平に移動させることができ、幅が異なる記録媒体１５０が装入された場合も、記録媒体１５０の側端部に当接させることができる。給送部２１０はさらに、フレーム２０２に隠れた給送ローラ等を備え、記録部１１０が記録動作する場合に、ペーパサポート２１２に装入された複数の記録媒体１５０を１枚ずつ内部機構２００に取り込む。
【００２９】
なお、内部機構２００は、前面に開口した水平なペーパサポート２１１も備えている。このペーパサポート２１１は、内部機構２００の前から水平に装入された記録媒体１５０を下方から支持する。また、ペーパサポート２１１に装入された記録媒体１５０も、給送部２１０を利用して搬送部２２０に記録媒体１５０を送り込むことができる。ペーパサポート２１１は延長部２１３を備え、それ自体の奥行きよりも長い記録媒体１５０も支持できる。
【００３０】
搬送部２２０は、フレーム２０２の前側に配置され、取り込まれた記録媒体１５０の上面に当接して連れ回される給紙ローラとしての搬送従動ローラ２２４を備えている。搬送従動ローラ２２４の直下には、図示されていない搬送モータにより回転駆動される搬送駆動ローラが配置される。したがって、内部機構２００に取り込まれた記録媒体１５０は、搬送従動ローラ２２４により搬送駆動ローラに押し付けられ、搬送駆動ローラの回転にしたがってプラテン２３０の上に送り込まれる。
【００３１】
プラテン２３０は、上方に向かって突出した複数のリブ２３４を備えている。リブ２３４は、送り込まれた記録媒体１５０の下面にその先端を当接させ、記録媒体１５０の高さ方向の位置決めをする。プラテン２３０の上方を通り過ぎた記録媒体１５０は、やがて排出部２４０に到達する。
【００３２】
排出部２４０は、プラテン２３０の前側に配置され、プラテン２３０上を通過して送り込まれた記録媒体１５０に対して、その上面に当接して連れ回される排出従動ローラ２４４を備えている。排紙ローラとしての排出従動ローラ２４４の直下には、図示されていない回転伝達機構を介して搬送モータにより回転駆動された排出駆動ローラが配置される。記録媒体１５０は、排出従動ローラ２４４により搬送駆動ローラに押し付けられ、排出駆動ローラの回転に従って記録媒体１５０を記録部１１０の前に送り出す。排出部２４０の前側には、排出トレイ２４８が配置され、排出された記録媒体１５０は排出トレイ２４８の上に蓄積される。
【００３３】
さらに、この内部機構２００は、プラテン２３０の上方で往復移動するキャリッジ２５０を備えている。キャリッジ２５０は、フレーム２０２の前側に設けられた主走査方向に延びる図示しない案内部材に沿って、主走査方向に水平に移動できるように装着されている。また、フレーム２０２の前側には、一対のプーリ２５１の間に張り渡されたタイミングベルト２５３が配置されている。さらに、キャリッジ２５０は、その背面においてタイミングベルト２５３に連結されている。
【００３４】
一方、プーリ２５１の一方はキャリッジモータ２５５により回転駆動されるので、キャリッジ２５０は、タイミングベルト２５３の変位にしたがって移動する。したがって、キャリッジモータ２５５の動作と回転方向を制御することにより、キャリッジ２５０を、プラテン２３０上で任意の領域の上方に移動させることができる。また、キャリッジ２５０は、その下面に、図示しない液体噴射ヘッドを備えている。
【００３５】
以上のような構造を有する内部機構２００を備えた記録読取複合機１００においては、前側のペーパサポート２１１または後方のペーパサポート２１２に装入された記録媒体１５０が、給送部２１０により１枚ずつ搬送部２２０に取り込まれる。搬送部２２０に取り込まれた記録媒体１５０は、プラテン２３０の上方を通過して排出部２４０に到達し、排出部２４０により内部機構２００の外部に送り出される。
【００３６】
また、記録媒体１５０がプラテン２３０の上に存在しているとき、キャリッジ２５０はプラテン２３０上を往復移動しつつ、下に向かって液体噴射ヘッドからインクを噴射する。したがって、記録媒体１５０表面の任意の領域に対してインクを噴射して付着させることができる。さらに、記録媒体１５０を１行分ずつ間欠的に搬送する一方、搬送が中断している期間にキャリッジ２５０を往復移動させることにより、記録媒体１５０の表面全体の所望の領域に画像を記録できる。
【００３７】
なお、フレーム２０２の後側には、上記のような一連の記録動作を制御する制御部２６０が搭載される。制御部２６０は、この記録読取複合機１００に接続された情報処理装置等を介して入力された指示、あるいは、操作パネル１３０から入力された指示に基づき、記録部１１０が適切な動作をするように制御する。また、制御部２６０は、この記録部１１０が記録する画像情報を受け取るインターフェースでもある。制御部２６０が受け取る画像情報は、当該画像を表す情報の他に、記録画像の解像度、色数等の記録品質、寸法、材質等の被記録物に関する情報も含む場合がある。
【００３８】
図４は、内部機構２００におけるプラテン２３０の詳細な構造を示す分解斜視図である。図中には、液体噴射ヘッド２５６、制御部２６０および制御部２６０によって制御される電位差発生手段としての電圧源２７０を合わせて簡略化して示している。ここで、液体噴射ヘッド２５６は、開口２５４を有するノズルプレート２５２を備えている。開口２５４からインクが噴射される。
図４において、プラテン２３０は、プラテン本体２３２と、プラテン本体２３２に収容された電極３１０および吸収部材２３６，２３８とを備えている。
【００３９】
プラテン本体２３２は樹脂材料により一体成形され、その上面から上に向かって突出した複数のリブ２３４と、上面から陥没して、底部２３１および側壁部２３３を含んで形成された幅の広い収容部２３５と、リブ２３４の形成された領域の側に形成された幅の狭い収容部２３７とを備えている。プラテン２３０の上を図１および図２に示した記録媒体１５０が通過する場合は、リブ２３４の上端が記録媒体１５０の下面に当接して、記録媒体１５０の高さ方向の位置決めがされる。
【００４０】
吸収部材２３６，２３８は、収容部２３５，２３７内を充填する寸法と形状を有している。吸収部材２３６，２３８は、その表面における液体の吸収速度を重視して材料が選択されている。ここで、吸収部材２３６，２３８が保持できるインクの量には限りがあるため、これらの吸収部材２３６，２３８よりもインク吸収容量が大きな図示しない廃液吸収部材が、プラテン２３０の下方に別途配置されている。
【００４１】
さらに、このプラテン２３０は、幅の広い収容部２３５の内部において、吸収部材２３６の下に配置される電極３１０を備えている。電極３１０は、収容部２３５の底部２３１を概ね覆うように配置されている。また、電極３１０の一端には、収容部２３５の側壁部２３３を乗り越えて外部に延在する連結部３１２と、プラテン２３０の外側に露出する端子部３１４とが一体に形成されている。この端子部３１４を介して、制御部２６０の制御の下に動作する電圧源２７０の一端に接続することにより、電極３１０に電圧を印加することができる。電圧源２７０の他端は、液体噴射ヘッド２５６に装備されたノズルプレート２５２に接続されている。これにより、ノズルプレート２５２および電極３１０の間に電位差を生じさせ、電界を形成させることができる。
【００４２】
なお、上記の吸収部材２３６，２３８の材料としては、ポリエチレン、ポリウレタン等の樹脂材料を発泡させたものを好ましく例示できる。また、吸収部材２３６を電極３１０と同電位とすることを目的として、表面抵抗が１０8Ω以下となるような導電性の材料により形成することも好ましい。このような材料としては、ポリエチレン、ポリウレタン等の樹脂に金属、炭素等の導電性材料を混入した上で発泡させたもの、ポリエチレン、ポリウレタン等の樹脂発泡材に金属、炭素等の導電性材料を付着させたもの、または、メッキしたもの等を例示できる。また、ポリエチレン、ポリウレタン等の樹脂発泡材に電解質溶液を含浸させたものを用いることもできる。
【００４３】
一方、電極３１０の材料としては、インクに対して耐食性のある金属、例えば金、ステンレスまたはニッケルの線材、板材または箔材、あるいは、これらの金属でメッキした線材、板材または箔材、若しくは、これらの材料を組み合わせた網状または格子状の部材で形成できる。また、他の態様として、プラテン２３０の収容部２３５の底部２３１に直接形成した導電性の塗膜層、メッキ層、厚膜層、薄膜層等を電極３１０として使用することもできる。
【００４４】
図５は、プラテン２３０、ノズルプレート２５２、制御部２６０および電圧源２７０によって構成されるエアロゾル収集機構３００の構造と動作を説明する模式図である。
図５において、ノズルプレート２５２は例えば金属製で、導電性を有する。ノズルプレート２５２は、電圧源２７０の負極に接続されている。一方、電圧源２７０の正極は、プラテン２３０に収容された電極３１０に接続されている。電極３１０に重ねてプラテン２３０に収容された吸収部材２３６は導電性を有し、吸収部材２３６全体が電極３１０と同じ電位になる。したがって、電圧源２７０の発生した電位差による電界Ｅが、ノズルプレート２５２の下面と吸収部材２３６の表面との間に形成される。なお、全ての極性を反転させて接続しても同様の機能が実現できる。
【００４５】
ノズルプレート２５２は液体噴射ヘッド２５６の下面に装着されている。記録動作においては、開口２５４を通じてインク３１１を下に噴射する。ここで、開口２５４の直下にプラテン２３０に支持された記録媒体１５０が存在している場合は、噴射されたインク３１１が記録媒体１５０の上面に付着して画像３１９を形成する。一方、記録媒体１５０の縁部に余白を設けずにインク３１１を付着させようとした場合、記録媒体１５０の側縁部並びに先端および後端において、一部の開口２５４の直下に記録媒体１５０が存在しない場合がある。このような場合、インク３１１はノズルプレート２５２から噴射されながら、記録媒体１５０に付着することなく飛翔する。
【００４６】
開口２５４から噴射されながら記録媒体１５０に付着しなかったインク滴３１７の運動エネルギーは、雰囲気の粘性抵抗により急速に失われる。このため、一部のインク滴３１７は、吸収部材２３６に到達する遥か前にその運動エネルギーを失う。ここで、インク滴３１７の質量は非常に小さいので、運動エネルギーを失うと、重力加速度による落下運動と雰囲気による粘性抵抗力とが殆どつり合い、以降の落下速度が極めて遅くなる。このようにして、ノズルプレート２５２の下方に浮遊するエアロゾルが発生する。また、インク滴３１７の一部がちぎれて一段と微細なインク滴であるサテライトインク３１５が生じる場合があり、これもエアロゾルとなる。
【００４７】
しかしながら、このエアロゾル収集機構３００では、吸収部材２３６の表面とノズルプレート２５２の下面との間に電界Ｅが形成されている。したがって、電荷ｑを有するインク滴３１７は、電界Ｅから受けるクーロン力Ｆｅ（ｑＥ）により運動エネルギーを得、減速されることなく下に移動して吸収部材２３６に到達する。
【００４８】
なお、開口２５４から押し出されるインク３１１は、ノズルプレート２５２から離脱してインク滴３１７となる直前の瞬間に、ノズルプレート２５２から下垂するインク柱３１３を形成する。このとき、インク柱３１３の先端Ａとノズルプレート２５２の下面におけるインク柱３１３付近の領域Ｂとの間に、いわゆる避雷針効果により電荷が蓄積される。この避雷針効果により、インク滴３１７は、インク柱３１３の水平断面積に対応する電荷よりも大きな電荷ｑで帯電する。なお、避雷針効果は、インク柱３１３の先端Ａを頂点とする頂角５０°から６０°の円錐形で包囲されるノズルプレート２５２表面の領域Ｂがインク滴３１７の帯電に寄与する現象をいう。これにより、インク滴３１７はより大きなクーロン力を受け、電界Ｅ内を吸収部材２３６まで飛翔する。
【００４９】
図６は、上記のような手順で動作を制御する図５に示した制御部２６０を備えた記録部１１０を含む記録読取複合機１００を稼働させる場合のシステムの構造を模式的に示す図である。
図６において、このシステム５００において、記録読取複合機１００の図５に示した制御部２６０は、ホスト装置としての情報処理装置５１０に接続されている。情報処理装置５１０は、ユーザからの入力手段であるキーボード５１２およびマウス５１４と、ユーザに対して画像を表示する表示装置５２０とを備えている。
【００５０】
また、情報処理装置５１０は、記録媒体１５０に対して情報を読み書きするディスクドライブ５１６、外部と通信することにより情報をやりとりできる図示しない通信回線も備えている。したがって、情報処理装置５１０は、自身の内部で作成された画像情報の他、ディスクドライブ５１６に装入した記録媒体、通信回線等を介して、記録部１１０に記録させるべき画像情報を調製することができる。また、記録読取複合機１００を制御するプログラムを外部から獲得してインストールすることもできる。
【００５１】
図７は、図６に示したシステム５００における制御系６００の構造を模式的に示す図である。
図７において、記録部１１０に実装された制御部２６０は、記録部１１０における記録動作を制御する記録動作制御部２６２と、エアロゾル収集機構３００における電圧源２７０の動作を制御する液体収集制御部としての液体収集動作制御部２６４とを含む。
【００５２】
したがって、記録部１１０における記録動作は、制御部２６０が、ホスト装置である情報処理装置５１０から受けた指示に従って、記録動作制御部２６２の制御の下に記録部１１０において実行される。また、電圧源２７０は、液体収集動作制御部２６４の制御の下に記録動作制御部２６２と協働して、電圧源２７０による電圧印加の開始または停止を制御する。
【００５３】
図８は、制御部２６０がエアロゾル収集機構３００の動作を制御する場合の手順を示す流れ図である。
図７および図８において、動作を開始した制御部２６０は、外部に接続された情報処理装置５１０等のホスト装置からの印刷指示を待つ（ステップＳ１０１）。
印刷指示を受けた場合、まず、記録媒体１５０に印刷すべき記録情報を獲得する（ステップＳ１０２）。なお、記録情報には、印刷する画像情報の他、印刷解像度、記録媒体１５０の寸法、記録媒体１５０に関する媒体種等の情報が含まれる。
【００５４】
次に、記録部１１０に、記録動作の対象となる記録媒体１５０が装入されているかどうかが検査される（ステップＳ１０３）。記録媒体１５０が装入されていない場合（ステップＳ１０３：ＮＯ）は、記録媒体１５０を補充すべき旨のメッセージ「記録媒体補充」を表示して（ステップＳ１０４）記録媒体１５０の補充を待つ。一方、記録媒体１５０がすでに装入されている場合（ステップＳ１０３：ＹＥＳ）は、次のステップへ進む。
【００５５】
なお、媒体種に関する情報は、記録部１１０に、装入された記録媒体１５０の媒体種を判定する判定手段から獲得してもよい。媒体種は、記録媒体１５０の比誘電率、曲げ剛性、光学的に表面の光沢や光の反射率等を測定することによって判定できる。この場合、判定は、記録媒体１５０が装入された後であるステップＳ１０３の後に行う。
【００５６】
次に、ステップＳ１０５において、獲得した媒体種の情報に応じた制御モードを選択する。実施形態では、制御モードとして、第１の制御モードであるモードＡ、第２の制御モードであるモードＢ、その他の制御モードであるモードＣを備えている。表１に媒体種と対応するモードとの関係を示した。
モードＡおよびモードＢは、電圧印加を行い、その期間を制御するモードであり、モードＣは電圧印加を行わないモードである。
【００５７】
【表１】
2008087472.tif 000003
【００５８】
普通紙とは、表面加工が施されていない、または塗工層の設けられていない紙、専用紙とは、紙の表面にコーティングを施した紙、光沢紙とは、紙の表面にコーティングを施したものであって光沢のある紙、マット紙とは、紙の表面にコーティングを施したものであって艶消しされた紙をいう。
光沢フィルムとは、合成樹脂のフィルムからなり、表面に光沢があるが不透明なフィルム、ＯＨＰシートとは、合成樹脂のフィルムからなり、表面に光沢があって透明なフィルム、シール用紙とは、紙と合成樹脂とが貼り合わされたものをいう。
【００５９】
ここで、記録媒体１５０の比誘電率が高い場合、例えば合成樹脂のフィルムを含むような場合は、記録媒体１５０が大きな電荷を蓄積するので、電界の作用により記録部１１０の構造物に引き付けられやすくなる。また、記録媒体１５０の曲げ剛性が低い場合は、記録媒体１５０に対する電界の作用が小さくても容易に曲がる。
このように、搬送中に記録媒体１５０が大きく曲げられるケースでは、記録媒体１５０の先端を排出駆動ローラ２４５／排出従動ローラ２４４間にうまく導くことが困難となり、搬送不良（ジャム）を生じやすくなる。本実施形態に係るエアロゾル収集機構３００の制御モード選択は、上述のような、記録媒体の種類と電界による搬送不良との関係に鑑みて設定されたものである。
【００６０】
具体的には、合成樹脂を含む光沢フィルム、ＯＨＰシートおよびシール用紙については、その電荷の蓄積のしやすさ、曲げ剛性によって、モードＢまたはモードＣを選択する。より具体的には、電荷が蓄積し易く、曲げ剛性が低い場合には、モードＣを選択するのが好ましい。
【００６１】
モードＡの場合、記録部１１０の図１に示した給送部２１０を動作させて、記録媒体１５０の取り込みを開始する（ステップＳ１０６）。
以下に、図７および図８を参照してモードＡの説明をする。モードＡは、ステップＳ１０６，Ｓ１０７，Ｓ１０８，Ｓ１０９，Ｓ１１０，Ｓ１１１，Ｓ１１２を含む。
記録媒体１５０の取り込みが開始されると、液体収集動作制御部２６４を介して、電圧源２７０による電圧印加が開始される（ステップＳ１０７）。ここで、エアロゾルが発生する記録動作に先立って電圧印加が開始されるのは、電界形成のために印加する高電圧が安定するまでに時間が係る場合があるからである。また、上記の説明では、ステップＳ１０７における動作を「電圧印加を開始」と記載したが、既に電圧印加が開始されていた場合は、電圧印加を継続することを意味する。
【００６２】
さらに、電圧印加の開始に引き続いて、印加を開始された電圧が安定して、電界の作用によるエアロゾル収集が有効になると、記録部１１０における記録媒体１５０に対するインク噴射が開始される（ステップＳ１０８）。
インク噴射を伴う記録動作は、記録すべき画像の情報が残っている間は継続される（ステップＳ１０９）。一方、記録すべき画像の情報がなくなると、制御部２６０は記録動作制御部２６２を介してインク噴射が終了される（ステップＳ１１０）。
【００６３】
ただし、インク噴射が終了して新規なエアロゾルが発生しなくなった後も、電圧印加は所定期間Ｔが経過するまで継続される（ステップＳ１１１）。これは、記録動作において図５で示したノズルプレート２５２の近傍で発生したエアロゾルが吸収部材２３６に到達するまでに一定の時間がかかるからである。こうして、エアロゾルが吸収部材２３６まで到達し得る所定期間Ｔが経過すると、電圧源２７０による電圧印加も停止される（ステップＳ１１２）。こうして、記録部１１０の記録動作および液体収集動作制御に係る制御部２６０の一連の制御が完了する。ここで、所定期間Ｔは０秒であってもよい。
【００６４】
以下に、図９および図１０を用いてモードＡにおける電圧印加の開始および停止の制御をさらに詳しく説明する。
図９は、図７に示した記録部１１０の各部における動作期間の開始および終了のタイミングを示す図である。
図１０は液体噴射ヘッド２５６およびプラテン２３０付近の概略断面図である。図１０（ａ）は、電圧印加開始のタイミングを示す図である。図１０（ｂ）は、電圧印加停止のタイミングを示す図である。二点鎖線Ｕは最上流にある開口２５４の位置を示し、二点鎖線Ｌは最下流にある開口２５４の位置を示している。
図１０において、記録媒体１５０は搬送従動ローラ２２４と搬送駆動ローラ２２５によってプラテン２３０へと送り込まれる。送り込まれた記録媒体１５０は、排出従動ローラ２４４と排出駆動ローラ２４５とによって排出される。
【００６５】
図９において、当初は印刷指示を待って待機状態にあった記録部１１０は、印刷指示を受けて（ステップＳ１０１）、記録情報の獲得を開始する（ステップＳ１０２に対応）。続いて、一定量の記録動作を実行できる記録情報が獲得されると、獲得した媒体種の情報に応じた制御モードを選択する（ステップＳ１０５に対応）。
【００６６】
記録情報の獲得と並行して記録媒体１５０の取り込みおよび搬送が開始される（ステップＳ１０６）。さらに、取り込まれた記録媒体１５０に対するインク噴射が開始される時点で印加電圧が安定するように、インク噴射に先立って電圧の印加が開始される（ステップＳ１０７）。
図１０（ａ）において、電圧印加は、記録媒体１５０の取り込みおよび搬送が開始されてから行うことができるが、搬送従動ローラ２２４に接触した後、記録媒体１５０の先端が最上流ノズル位置である二点鎖線Ｕの位置に到達するまでに行うのが好ましい（ステップＳ１０７）。記録媒体１５０の先端が最上流にある開口２５４の位置である二点鎖線Ｕの位置に到達した後、インク噴射が開始される（ステップＳ１０８）。
二点鎖線Ｕの位置は、開口２５４からインク滴３１７が記録媒体１５０に噴射される位置であって最上流の位置である。
【００６７】
また、記録媒体１５０に対するインクの噴射が終了した後も電圧印加は継続され、所定期間Ｔが経過すると電圧印加が停止される（ステップＳ１１１）。
図１０（ｂ）において、電圧の印加の停止は、記録媒体１５０の後端が最下流ノズル位置である二点鎖線Ｌの位置を通過した後行う（ステップＳ１１２）。
二点鎖線Ｌの位置は、開口２５４からインク滴３１７が記録媒体１５０に噴射される位置であって、最下流の位置である。
【００６８】
なお、インクの噴射が終了して画像の記録された記録媒体１５０が記録部１１０から排出されると、記録動作が完了したものと看做されて、上記所定期間Ｔが経過していないにもかかわらず記録読取複合機１００の電源スイッチが遮断される場合がある。しかしながら、インク噴射が終了してから、最後に噴射されたインクから発生したエアロゾルが吸収部材２３６に到達して吸収されるまでには時間がかかる。したがって、電源スイッチが遮断されても、所定期間Ｔが経過するまでは、電圧印加を維持することが好ましい。
【００６９】
図８において、ステップＳ１０５でモードＡ以外のときは、ステップＳ１２０に進む。  ステップＳ１２０では、液体収集を実行ステップへ移行すべきか否かを判断して、判断結果をフラグに示す（ステップＳ１２１またはステップＳ１２２）。
ここで獲得されている記録媒体１５０の情報は、記録媒体１５０の比誘電率あるいは曲げ剛性等の特性値に基づくものではなく、情報処理装置５１０から提供された記録媒体１５０の種類を直接に表示する情報である。したがって、記録部１１０は、獲得した記録媒体１５０の種類情報から直接に、液体収集を実行ステップへ移行すべきか否かを判断して（ステップＳ１２０）、判断結果をフラグに示す（モードＢではステップＳ１２１、モードＣではステップＳ１２２）。
【００７０】
以下モードＢについて詳しく説明する。モードＢは、ステップＳ１２１，Ｓ１２３，Ｓ１２４，Ｓ１２５，Ｓ１２６，Ｓ１２７，Ｓ１０９，Ｓ１１０，Ｓ１１１，Ｓ１１２を含む。
図１１は液体噴射ヘッド２５６およびプラテン２３０付近の概略断面図である。図１１（ａ）は、電圧印加開始のタイミングを示す図である。図１１（ｂ）は、電圧印加停止のタイミングを示す図である。図面内の符号の内容は、図１０と同様である。
【００７１】
ステップＳ１２０の後、印刷媒体の取り込みを行い（ステップＳ１２３）、インク噴射を開始する（ステップＳ１２４）。
記録部１１０は、フラグの状態を維持したまま、液体収集のための電圧印加を開始すべきタイミングの到来を待ち（ステップＳ１２５）、当該タイミングが到来した場合はフラグを参照する（ステップＳ１２６）。電圧印加を開始すべきタイミングにフラグがＯＮである場合は電圧印加を開始して（ステップＳ１２７）、液体収集を実行する。
【００７２】
図１１（ａ）において、電圧印加は、記録媒体１５０の先端が排出従動ローラ２４４の位置に到達した後に行う。この場合、記録媒体１５０は電界の影響により曲げの力を受けることになるが、記録媒体１５０の先端が排出駆動ローラ２４５と排出従動ローラ２４４とにニップされた後のことなので、ジャムを生じる危険性はない。
その後、記録動作を継続し（ステップＳ１０９）、図１１（ｂ）に示すように、インク噴射終了後（ステップＳ１１０）、電圧印加の停止は、記録媒体１５０の後端が最下流開口位置である二点鎖線Ｌの位置を通過した後行う（ステップＳ１１２）。
【００７３】
ステップＳ１２６で、電圧印加を開始すべきタイミングにフラグがＯＦＦである場合は電圧印加（ステップＳ１２７）を行わず、記録動作を継続する（ステップＳ１０９）。このモードがモードＣになる。
モードＣでは、電圧が印加されていないので、ステップＳ１１１およびステップＳ１１２の動作は事実上行われない。
【００７４】
以下に、ステップＳ１０９の記録動作継続における付加的な制御を説明する。
図１２は、制御部２６０による図８に示した手順のうち、ステップＳ１０９の記録動作継続における付加的な制御の手順を示す流れ図である。
図１２に示すように、ステップＳ１０９において記録動作が継続している間も、制御部２６０は、図１で示した記録読取複合機１００の上ケース１２２が閉じているかどうかを監視している（ステップＳ２０１）。
【００７５】
ここで、何らかの理由で上ケース１２２が開かれた場合（ステップＳ２０１：ＮＯ）、制御部２６０は、記録動作を停止させると共に、電圧源２７０により電圧が印加されている場合はこれを停止する（ステップＳ２０３）。これにより、上ケース１２２が開いて記録ヘッドが露出した状態で記録動作が実行されることが防止される。また、電圧源２７０により電圧を印加された部材が露出されることも防止され、感電等を未然に防止できる。
【００７６】
また、制御部２６０は、記録部１１０の内部における侵入物の存在も監視している（ステップＳ２０２）。記録部１１０内に侵入物があることが検出された場合（ステップＳ２０２：ＮＯ）、制御部２６０は、記録動作を停止させると共に、電圧源２７０により電圧が印加されている場合はこれを停止する（ステップＳ２０３）。
【００７７】
上ケース１２２が閉じられ、侵入物が取り除かれると（ステップＳ２０４：ＹＥＳ、ステップＳ２０５：ＹＥＳ）、記録動作を再開する（ステップＳ２０６）。
ケースが閉じられず（ステップＳ２０４：ＮＯ）、侵入物が取り除かれない限り（ステップＳ２０５：ＮＯ）記録動作は再開されない。
【００７８】
このような本実施形態によれば、以下の効果がある。
（１）液体収集動作制御部２６４によって電圧源２７０の電圧印加を制御することにより、必要に応じて液体の収集機能を有効にでき、消費電力を抑制できると共に、高電圧を印加する期間も制御できるので、記録部１１０の安全性の向上にも寄与できる。また、必要に応じてサテライトインク３１５およびインク滴３１７の収集機能が有効にできるので、サテライトインク３１５およびインク滴３１７による汚染や記録媒体１５０の搬送不良を最小限に抑えた記録部１１０を得ることができる。
【００７９】
（２）記録媒体１５０に関する情報により、電圧印加の開始および停止に係る制御モードが選択されるので、記録媒体１５０に応じてより適切に前述の効果を達成できる。
【００８０】
（３）サテライトインク３１５およびインク滴３１７が噴射されない期間は電圧印加を停止するので、消費電力を抑制できると共に、高電圧を印加する期間が限定的なので、記録部１１０の安全性の向上にも寄与できる。また、サテライトインク３１５およびインク滴３１７が噴射される前に有効な電界が形成されるので、効果的にサテライトインク３１５およびインク滴３１７を収集できる。
【００８１】
（４）排出従動ローラ２４４によって記録媒体１５０が挟まれ、その位置が安定した後に電圧が印加されるので、記録媒体１５０が帯電しやすい特性を有する場合であっても、電界により記録媒体１５０が吸収部材２３６に引き付けられて汚染され、あるいは、搬送経路からはずれて搬送不良を生じることを低減できる。
【００８２】
（５）電圧が印加されたまま電極３１０等が露出することを防止でき、記録部１１０の安全性が向上される。
また、動作中の記録部１１０に侵入物があった場合、正常な記録動作を実行できないばかりではなく、記録動作を継続すると記録部１１０が損傷を受ける場合がある。また、電圧源２７０により電圧が印加されている場合は、侵入物によりノズルプレート２５２および電極３１０が短絡する場合もある。さらに、ユーザの手等が差し入れられた場合は、感電する場合もあり得る。したがって、侵入物を検出した場合に記録動作および電圧印加を停止することにより、これらの障害を未然に防止できる。
【００８３】
（６）侵入物による短絡あるいは侵入物を取り除こうとした場合に発生し得る感電を防止でき、記録部１１０の安全性を向上できる。
【００８４】
（７）この手順を実行できる記録部１１０では、記録読取複合機１００の側に記録媒体１５０の特性値を検出する手段を設けなくてもよい。したがって、記録読取複合機１００の構造を簡素化できる。
また、フラグの状態を保持して、電圧印加を何らかの理由で中断または断続させた場合に、フラグを参照するだけで適切な電圧印加を再開させることができる。
【００８５】
（８）液体噴射ヘッドから噴射された後にエアロゾル化して浮遊する液滴まで収集できるので、エアロゾルによる汚染を最小限にとどめることができる。
また、記録動作の直後に液体噴射装置の電源が遮断された場合も、エアロゾル化して浮遊する液滴を収集するので、エアロゾルによる汚染を最小限にとどめることができる。
【００８６】
なお、モードＡ、モードＢ、モードＣのうち少なくとも２つのモードを含んでいればよく、モードの数は４つ以上でもよい。
また、ステップＳ１０３およびステップＳ１０４はなくてもよい。
【００８７】
なお、上記した実施形態に限定されるものではなく、その趣旨を逸脱しない限りにおいて上述したもの以外に種々の変更を行うことが可能である。
例えば、上記の実施の形態では、記録媒体１５０の特性値として、記録媒体１５０の比誘電率または曲げ剛性を選択した場合について説明したが、他の特性値を指標にして電圧源２７０を制御することもできる。また、多くの種類の特性値を同時に勘案して電圧源２７０を制御することもできる。
【００８８】
また、上記の実施形態では、制御部２６０は電圧印加を開始または停止するように制御したが、印加電圧を複数段階に切り替えるようにしてもよい。即ち、例えば記録媒体１５０の曲げ剛性を３種類に分類し、その種類に応じて高電圧印加、低電圧印加、停止を選択するようにしてもよい。また、記録媒体１５０の比誘電率、曲げ剛性等の特性値をその都度測定し、それに応じて適切な電圧を印加するようにしてもよい。
【００８９】
さらに、上記のような一連の動作において、電極３１０に対して電圧が印加されている期間は、記録読取複合機１００の操作パネル１３０において、表示パネル１３２またはパイロットランプ１３６により、エアロゾル収集機構３００が動作して電極３１０に電圧を印加している旨を表示させることも好ましい。これにより、ユーザに対して電圧印加中の電極に対する注意を促すことができる。
このように、エアロゾルの収集に有効な期間を選択して電圧を印加することにより、液体収集に係る電力消費を低減することができる。また、稼働時間を短縮することにより、電圧源２７０の寿命を長くすることができる。さらに、電圧印加をする期間を低減することにより、感電等の発生機会を低減させることもできる。
【００９０】
また、液体噴射装置の一例として、記録読取複合機１００の記録部１１０として実装されたインクジェット式記録装置を例に挙げて説明したが、液体噴射装置としては、液体噴射ヘッドとして色材噴射ヘッドを備えた液晶ディスプレイのカラーフィルタ製造装置、液体噴射ヘッドとして電極材（電導ペースト）噴射ヘッドを備えた有機ＥＬディスプレイ、ＦＥＤ（面発光ディスプレイ）等の電極形成装置、液体噴射ヘッドとして生体有機物噴射ヘッドおよび精密ピペットを備えたバイオチップ製造装置等を例示できる。また、被記録物とは、液体噴射ヘッドから噴射された液体を付着され得るものを一般に指し、記録媒体の他に、回路基板、円板形光記録媒体、プレパラート等も含まれる。
【００９１】
さらに、本発明を実施の形態を用いて説明したが、本発明の技術的範囲は上記実施の形態に記載の範囲には限定されない。上記実施の形態に、多様な変更または改良を加え得ることは当業者に明らかである。また、その様な変更または改良を加えた形態も本発明の技術的範囲に含まれ得ることは、特許請求の範囲の記載から明らかである。
【図面の簡単な説明】
【００９２】
【図１】記録読取複合機の全体を概観する斜視図。
【図２】記録部の内部機構を抜き出して示す斜視図。
【図３】内部機構を上方から見た様子を示す平面図。
【図４】プラテンの構造を示す分解斜視図。
【図５】エアロゾル収集機構の動作を説明する模式図。
【図６】記録読取複合機を含むシステムの構造を模式的に示す図。
【図７】システムにおける制御系の構造を模式的に示す図。
【図８】システムにおける記録部の制御手順を示す流れ図。
【図９】記録部の各部における動作期間の開始および終了のタイミングを示す図。
【図１０】液体噴射ヘッドおよびプラテン付近の概略断面図。
【図１１】液体噴射ヘッドおよびプラテン付近の概略断面図。
【図１２】記録動作継続中の制御部による付加的な制御の手順を示す流れ図。
【符号の説明】
【００９３】
１１０…液体噴射装置としての記録部、１５０…被記録物としての記録媒体、２２４…給紙ローラとしての搬送従動ローラ、２３６，２３８…吸収部材、２４４…排紙ローラとしての排出従動ローラ、２５２…ノズルプレート、２５４…開口、２５６…液体噴射ヘッド、２６４…液体収集制御部としての液体収集動作制御部、２７０…電位差発生手段としての電圧源、３１０…電極、３１１…液体としてのインク、３１５…液体としてのサテライトインク、３１７…液体としてのインク滴。
【図１】
2008087472.tif 000004
【図２】
2008087472.tif 000005
【図３】
2008087472.tif 000006
【図４】
2008087472.tif 000007
【図５】
2008087472.tif 000008
【図６】
2008087472.tif 000009
【図７】
2008087472.tif 000010
【図８】
2008087472.tif 000011
【図９】
2008087472.tif 000012
【図１０】
2008087472.tif 000013
【図１１】
2008087472.tif 000014
【図１２】
2008087472.tif 000015